【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
第１の画像データに基づいて印刷媒体に印刷処理を行う印刷手段と、
前記印刷手段により印刷処理された印刷媒体を読み取り第２の画像データを生成する読取手段と、
前記第１の画像データと前記第２の画像データとを部分的に比較して印刷不良の有無を判定する第１の比較判定処理を行う第１の比較判定手段と、
前記第１の画像データと前記第２の画像データとを前記第１の比較判定処理で比較していない部分で比較して印刷不良の有無を判定する第２の比較判定処理を行う第２の比較判定手段と、
前記第１の比較判定処理で前記印刷不良の有無を判定できた場合には前記第２の比較判定処理を実行せず、前記第１の比較判定処理を行って前記印刷不良の有無を判定できなかった場合には前記第２の比較判定処理を実行するように制御する制御手段と、
を有することを特徴とする画像処理装置。
【請求項２】
前記第１の比較判定処理で印刷不良の有無を判定できた場合とは、前記第１の比較判定処理での比較で印字不良でないことを示す条件を満たした場合、又は、前記第１の比較判定処理での比較で印字不良であることを示す条件を満たした場合であることを特徴とする請求項１に記載の画像処理装置。
【請求項３】
前記第１の比較判定処理では、前記第１の画像データと前記第２の画像データの各画素のうち一定の規則で抽出した画素を比較することを特徴とする請求項１又は２に記載の画像処理装置。
【請求項４】
前記一定の規則で抽出した画素は、一定の間隔で抽出した画素であることを特徴とする請求項３に記載の画像処理装置。
【請求項５】
前記第１の比較判定処理では、前記第１の画像データと前記第２の画像データの各画素のうちランダムに抽出した画素を比較することを特徴とする請求項１又は２に記載の画像処理装置。
【請求項６】
前記第１の比較判定処理及び前記第２の比較判定処理では、前記第１の画像データと前記第２の画像データを所定サイズの判定領域に分けて各判定領域に対して比較判定を行うものであり、
前記第１の比較判定処理では、任意の判定領域で前記第１の画像データと前記第２の画像データとで画素値が異なる画素の数が第１の閾値を超えない場合に印刷不良が無いと判定し、或る判定領域で前記第１の画像データと前記第２の画像データとで画素値が異なる画素の数が第２の閾値を超える場合に印刷不良が有ると判定することを特徴とする請求項１乃至５のいずれか１項に記載の画像処理装置。
【請求項７】
前記第２の比較判定処理では、任意の判定領域で前記第１の画像データと前記第２の画像データとで画素値が異なる画素の数が第３の閾値を超えない場合には印刷不良が無いと判定し、一方、或る判定領域で前記第１の画像データと前記第２の画像データとで画素値が異なる画素の数が前記第３の閾値を超える場合には印刷不良が有ると判定することを特徴とする請求項６に記載の画像処理装置。
【請求項８】
前記第１の閾値、前記第２の閾値、及び、前記第３の閾値を設定する設定手段を有することを特徴とする請求項７に記載の画像処理装置。
【請求項９】
前記制御手段は、前記第１の比較判定処理又は前記第２の比較判定処理により、前記印刷不良が有ると判定された場合、前記第１の画像データを前記印刷手段により再印刷処理させることを特徴とする請求項１乃至８のいずれか１項に記載の画像処理装置。
【請求項１０】
前記第１の比較判定処理又は前記第２の比較判定処理により、前記印刷不良が有ると判定された場合、印刷不良が発生した旨を操作者に通知する通知手段を有することを特徴とする請求項１乃至９のいずれか１項に記載の画像処理装置。
【請求項１１】
前記通知手段は、前記第１の比較判定処理又は前記第２の比較判定処理により、前記印刷不良が有ると判定された場合、前記第１の画像データの再印刷処理を行うか、前記印刷処理を中止するかの選択操作を受け付ける選択手段を有し、
前記制御手段は、前記選択手段で受け付けた選択操作に応じて、前記再印刷処理を実行する、又は、前記印刷処理を中止することを特徴とする請求項１０に記載の画像処理装置。
【請求項１２】
前記通知手段は、印刷不良箇所を操作者に通知することを特徴とする請求項１０又は１１に記載の画像処理装置。
【請求項１３】
第１の画像データと、前記第１の画像データに基づいて印刷処理された印刷媒体を読み取って生成された第２の画像データとを比較して印刷不良の有無を判定する画像処理装置であって、
前記第１の画像データと前記第２の画像データとを部分的に比較して印刷不良の有無を判定する第１の比較判定処理を行う第１の比較判定手段と、
前記第１の画像データと前記第２の画像データとを前記第１の比較判定処理で比較していない部分で比較して印刷不良の有無を判定する第２の比較判定処理を行う第２の比較判定手段と、
前記第１の比較判定処理で前記印刷不良の有無を判定できた場合には前記第２の比較判定処理を実行せず、前記第１の比較判定処理を行って前記印刷不良の有無を判定できなかった場合には前記第２の比較判定処理を実行するように制御する制御手段と、
を有することを特徴とする判定装置。
【請求項１４】
画像処理装置の制御方法であって、
印刷手段が、第１の画像データに基づいて印刷媒体に印刷処理を行う印刷ステップと、
読取手段が、前記印刷ステップで印刷処理された印刷媒体を読み取り第２の画像データを生成する読取ステップと、
第１の比較判定手段が、前記第１の画像データと前記第２の画像データとを部分的に比較して印刷不良の有無を判定する第１の比較判定ステップと、
第２の比較判定手段が、前記第１の画像データと前記第２の画像データとを前記第１の比較判定ステップで比較していない部分で比較して印刷不良の有無を判定する第２の比較判定ステップと、
制御手段が、前記第１の比較判定ステップで前記印刷不良の有無を判定できた場合には前記第２の比較判定ステップを実行せず、前記第１の比較判定ステップで前記印刷不良の有無を判定できなかった場合には前記第２の比較判定ステップを実行するように制御する制御ステップと、
を有することを特徴とする画像処理装置の制御方法。
【請求項１５】
第１の画像データと、前記第１の画像データに基づいて印刷処理された印刷媒体を読み取って生成された第２の画像データとを比較して印刷不良の有無を判定するコンピュータを制御するプログラムであって、
前記第１の画像データと前記第２の画像データとを部分的に比較して印刷不良の有無を判定する第１の比較判定処理を行う第１の比較判定ステップと、
前記第１の画像データと前記第２の画像データとを前記第１の比較判定処理で比較していない部分で比較して印刷不良の有無を判定する第２の比較判定処理を行う第２の比較判定ステップと、
前記第１の比較判定処理で前記印刷不良の有無を判定できた場合には前記第２の比較判定処理を実行せず、前記第１の比較判定処理を行って前記印刷不良の有無を判定できなかった場合には前記第２の比較判定処理を実行するように制御する制御ステップと、
を前記コンピュータに実行させることを特徴とするプログラム。
【手続補正２】
【補正対象書類名】明細書
【補正対象項目名】発明の名称
【補正方法】変更
【補正の内容】
【発明の名称】画像処理装置、判定装置、画像処理装置の制御方法、及びプログラム
【手続補正３】
【補正対象書類名】明細書
【補正対象項目名】００１２
【補正方法】変更
【補正の内容】
【００１２】
本発明は、上記の問題点を解決するためになされたものである。本発明の目的は、印刷された印刷媒体から読み取った画像データによる判定処理を段階的に行うことによって、印刷された印刷媒体の検品処理を高速化する仕組を提供することである。
【手続補正４】
【補正対象書類名】明細書
【補正対象項目名】００１４
【補正方法】変更
【補正の内容】
【００１４】
本発明によれば、印刷された印刷媒体から読み取った画像データによる判定処理を段階的に行うことによって、印刷された印刷媒体の検品処理を高速化することが可能となる。